(57)【特許請求の範囲】
【請求項１】
かつらを頭部へ固定するに際して使用するかつら固定用シートにおいて、シート本体が合成樹脂よりなる略ドーナツ形状であり、かつその内周縁及び外周縁に適宜数のスリットを設けたことを特徴とするかつら固定用シート。
【請求項２】
内周縁及び外周縁に形成されるスリットがそれぞれ対向して設けられていることを特徴とする請求項１記載のかつら固定用シート。
【請求項３】
シート本体を構成する合成樹脂がネット状部材であることを特徴とする請求項１もしくは２に記載のかつら固定用シート。
【請求項４】
スリットが形成される内周縁及び外周縁に合成樹脂をコーティングもしくは合成樹脂シートを貼り合わせ補強したことを特徴とする請求項１〜３いずれかに記載のかつら固定用シート。
【請求項５】
内周縁及び外周縁のスリットが形成される個所に合成樹脂をコーティングもしくは合成樹脂シート片を貼り合わせスリット部を補強したことを特徴とする請求項１〜３いずれかに記載のかつら固定用シート。
【請求項６】
かつら貼着面に両面接着テープの一側を貼りつけたかつら固定用シートを頭部の所定位置へ載置し、内周縁及び外周縁の各スリットから自毛を引き出し、内周縁側の自毛を前記両面接着テープの他側に貼りつけるとともに、対向する外周縁側の自毛に重ね合わせ、さらに両面接着テープ上の自毛及び内周縁側の自毛と外周縁側の自毛とを重ね合わせた個所のうち、かつら固定用シートの外周縁上に接着剤を塗布した後、かつら本体を被せることによりかつらを固定することを特徴とするかつらの固定方法。
【発明の詳細な説明】
【０００１】
【発明の属する技術分野】
本発明は、かつらを頭部に固定する際に使用するかつら固定用シート及びその固定用シートを用いてかつらを頭部へ固定する方法に関するものである。
【０００２】
【従来の技術とその問題点】
従来より、かつらを頭部へ固定するためのものとして以下のものがあった。
先ず、かつら使用者の残っている自毛をかつら本体に取り付けた櫛歯を有するいわゆるストッパーにより挟み込み固定するものである（特開昭６２−６１６８３、実開平２−１４９７１２）。
ストッパーを使用する場合、ストッパー自体に厚みがあるため、かつら装着時ストッパー付近のかつら表面が盛り上がり自然さに欠ける問題があり、さらにかつらがずれたりした時にストッパーの櫛歯に挟持されている自毛が引っ張られ痛みを感じやすいという欠点も有する。
【０００３】
このような問題を除き、自然さをかもし出すかつらの固定方法として頭皮に接着剤を直接塗布し、または両面接着テープ、面ファスナーを頭皮に貼りつけ、これとかつら本体の裏面とを貼り合わせ、固定するものがある。
しかしながら、これらの固定方法によると頭皮に直接接着剤を塗布した場合には、皮膚のかぶれ、炎症の原因となることが多く、さらに頭皮より滲出する汗、皮脂等により接着テープ等の接着力が低下し、かつらが所定位置からずれたり、頭部より脱け落ちるという問題が生ずる。
そこで、このような問題を解決し、かつらと頭皮との密着力を高めるために、頭皮とかつら本体の裏面間にかつら固定用シートが使用されるようになった。
この場合であっても、かつら固定用シートを頭皮に固定するのに接着剤、両面テープ等を使用する場合には前述のような問題が生ずることから、かかる問題の発生を防ぎしかも固定をより確実なものとするために、残っている自毛を利用する方法が近年多く採用されるようになった。
【０００４】
本発明者も残っている自毛を利用してかつらを頭皮に固定する「かつら並びにかつらの止着方法」を発明した（特願平９−２０５５３４）。
この発明は、かつら本体裏面の周縁部を表側縁部と裏側縁部の二層とし、裏側縁部をネット状部材により構成し、自毛をネット状部材の網目より引き出し、それを接着剤により接着固定した後、表側縁部を被せ、かつらを固定するものである。
この発明は、かつらを確実に頭部に固定することができ、しかもスポーツ等により頭部を激しく動かした場合であっても、かつらがずれたり、脱け落ちることがない等優れた効果を有するものであるが、かつらの裏面に前記した二層の周縁部を形成する必要があり、作製工程が煩雑になる。また、かつらの取り付けにおいても、所定の位置に且つずれないように作業を行うためには、ある程度の熟練が必要である。
【０００５】
【課題を解決するための手段】
本発明は、前述の従来よりあるかつら及びかつらの固定方法が有していた装着後のたかつらのずれ、脱落等の不安をなくし、さらに接着剤等に起因するかぶれ、炎症を防止するとともに、本発明者がなした先の発明「かつら並びにかつらの止着方法」をより簡単にしたかつら固定用シート及びそのかつら固定用シートを使用するかつらの固定方法を提供することを目的とするもので、かつらを頭部へ固定するに際して使用するかつら固定用シートにおいて、シート本体が合成樹脂よりなる略ドーナツ形状であり、かつその内周縁及び外周縁に適宜数のスリットを設けたことを特徴とし、内周縁及び外周縁に形成されるスリットがそれぞれ対向して設けられていることを特徴とし、シート本体を構成する合成樹脂がネット状部材であることを特徴とし、スリットが形成される内周縁及び外周縁に合成樹脂をコーティングもしくは合成樹脂シートを貼り合わせ補強したことを特徴とし、さらに内周縁及び外周縁のスリットが形成される個所に合成樹脂をコーティングもしくは合成樹脂シート片を貼り合わせスリット部を補強したことを特徴とするものである。
【０００６】
さらに、かつら貼着面に両面接着テープの一側を貼りつけたかつら固定用シートを頭部の所定位置へ載置し、内周縁及び外周縁の各スリットから自毛を引き出し、内周縁側の自毛を前記両面接着テープの他側に貼りつけるとともに、対向する外周縁側の自毛に重ね合わせ、さらに両面接着テープ上の自毛及び内周縁側の自毛と外周縁側の自毛とを重ね合わせた個所のうち、かつら固定用シートの外周縁上に接着剤を塗布した後、かつら本体を被せることによりかつらを固定することを特徴とするものである。
【０００７】
【実施の形態】
本発明の実施の形態を図面とともに説明する。
図１は、本発明に係るかつら固定用シートの平面図である。
１は、かつら固定用シートであり、頭部への密着性を高めるとともに汎用性を持たせるために略ドーナツ形状よりなり、材質は合成樹脂あるいは天然繊維からなるシート状物及び布状物が使用されるが、適度な透湿性と可撓性及び耐久性からポリウレタン樹脂がよく、さらに装着時の透湿性を持たせるためにはネット状が好ましい。
この略ドーナツ形状よりなるかつら固定用シート１の内周縁２及び外周縁３に、ウレタン樹脂を細幅にコーティングし各縁部を補強する。
補強された内周縁２及び外周縁３にスリット４ａ・・・、４ｂ・・・を穿設する。
さらに、内周縁２側のスリット４ａ及び外周縁３側のスリット４ｂは、各周縁側のスリットから引き出した自毛を重ね合わせることでかつら固定用シートの密着力を高めるために、対向する位置に設けることが望ましい。
【０００８】
穿設されるスリットとして細幅のものを示したが、その形状はこれに限定されるものではなく、スリットの真下の自毛を引き出すのに適したものであればよい。
しかしながら、穿設されるスリットが大き過ぎると引き出される自毛が多くなり過ぎ、そのため後述する両面接着テープ６ａへの接着及び内外のスリットから引き出され重ね合わされた個所の接着剤による接着が不完全となり、むしろかつら固定シートが浮き上がり不安定となり、結果としてかつら本体の固定が不十分となることから、その大きさには自ら限界がある。
穿設されるスリット４ａ、４ｂとしては、本発明者による種々の実験の結果、長さ１０ｍｍ×幅１ｍｍ程度のものが適当であることが分かった。
なお、スリットが長年の使用により裂けることを未然に防ぐために、内周縁２側及び外周縁３をウレタン樹脂をコーティングすることにより補強するものを示したが、コーティングの代わりに細幅のウレタン樹脂シートを貼りつけたものであってもよい。
また、穿設されるスリット部の周囲のみにウレタン樹脂をコーティングもしくは細幅のウレタン樹脂シートを貼りつけてもよい。
【０００９】
次に、上記の構成よりなる本発明にかかるかつら固定用シートを用いて、かつらを頭部へ固定する方法について図２及び３とともに説明する。
先ず、予めかつら貼着面５に一側面の剥離紙を剥した両面テープ６ａを図２（ａ）に示すように貼りつけたかつら固定用シート１を頭部に被せ水性インクペン等によりマーキングし位置決めした後、一旦頭部よりはずす。
この両面接着テープ６ａと同じ両面接着テープ６ｂを、図２（ｂ）に示すようにかつら本体Ａの裏面にも一側面の剥離紙を剥し貼りつけておく。この両面接着テープ６ｂは、後述する頭部に固定されたかつら固定用シート１にかつら本体Ａを被せた際にかつら貼着面５の両面接着テープ６ａが位置する個所に貼りつける。
再びかつら固定用シート１を頭部に被せ、先のマーキング箇所に位置させた後、図３（ａ）に示すように外周縁３側のスリット４ｂ・・・からその真下にある自毛７ｂをピンセットもしくは鉤止具を用いて引き出し、外側に垂らす。
次に、図３（ｂ）に示すように内周縁２側の各スリット４ａ・・・からその真下にある自毛７ａを前記同様引き出し、外周縁３側に軽く引っ張りながら、両面接着テープ６ａの他側の剥離紙を剥し、これに押さえつけて仮止めする。
次に、両面接着テープ６ａ上及び内外のスリット部から引き出された自毛７ａ、７ｂが重なる個所のうち、かつら固定用シートの外周縁上に接着剤８を塗布した後、ドライヤーの冷風を当て生乾きの状態にした後、前記したかつら本体Ａの裏面に貼られている両面接着テープ６ｂの残っている剥離紙を剥した後、これを被せ、かつら本体Ａの裏面側に貼りつけた両面接着テープ６ｂとかつら固定用シート１の両面接着テープ６ａ面の各接着面を重ね合わせ接着固定する。
かつらが所定位置に固定されたことを確認した後、櫛、ブラシ等により全体を整える。
なお、自毛のスリットからの引き出しは、かつらの位置決めを容易かつ確実にするために、前頭部、後頭部、左右頭部の順が望ましい。
【００１０】
上記した本発明によるかつら固定方法により頭部に固定されたかつらの取り外しは、先ず、かつら本体Ａを後頭部から前頭部にかけて徐々に剥しとって頭部よりはずし、次にかつら固定用シート上で接着剤で接着している自毛７ａ、７ｂを剥して、自毛を引き出したスリットに押し戻すようにしながら、かつら固定用シート１を剥す。
かつら固定用シート１を剥した後、自毛７ａ、７ｂについている接着剤８をふき取れば、かつら本体Ａの取り外しが完了する。
【００１１】
【発明の効果】
以上の構成よりなる本発明は、かつら固定用シートのかつら貼着面側に接着剤を塗布するものであることから、接着剤が頭皮に直接塗布されるものと異なり、頭皮にかぶれ、炎症を惹起するおそれがなく、毛根にも悪影響を与えることがない。
また、接着剤及び両面接着テープの接着面が頭皮に直接触れることがないので、汗、皮脂等により接着力が低下することがなく、かつらの固定がより確実となり、さらにその安定した固定力も長期にわたることができる。
さらに、本発明においては自毛とかつら固定用シートは、かつら固定用シートのかつら本体貼着両面接着テープ上に内周縁側から引き出した自毛及び内周縁側のスリットから引き出した自毛と外周縁側のスリットから引き出した自毛の重なった個所において接着され、しかも頭部自毛はかつら固定用シート及びかつら本体に挟まれた形で接着されることから、かつらの固定はより強固となり、容易にずれたり、脱落したりすることはなく、かつら固定用シート及びかつら本体がめくれ上がるおそれがない。
さらに、かつら固定用シートをあらかじめ頭部に被せ位置決めが可能であることから、接着剤をあらかじめ塗布した頭皮にかつらを被せるものに比べ、その位置決め及びその微調整が容易である。
本発明によるかつらの固定方法においてはスリットより自毛を引き出し、これを両面接着テープ上仮止めし、さらに引き出された自毛同士を接着剤により接着し、さらにこれにかつら本体を被せ、固定するだけであることから、その作業手順は簡単であり、特別な熟練を要しないことから、かつら装着及び取り外しを家庭で行なうことができる。
以上のように本発明に係るかつら固定用シート及びかつらの固定方法は、多くの優れた効果を有するとともに、頭部に装着されたかつらは極めて自然であり、しかもその状態を長く保つことができる利点を有する。
【図面の簡単な説明】
【図１】本発明に係るかつら固定用シートの全体を示す平面図である。
【図２】かつら固定用シート及びかつら本体の裏面への両面接着テープの貼着の状態を示す平面図である。
【図３】自毛をかつら固定用シートへ固定する経過を示す平面図である。
【符号の説明】
Ａ    かつら本体
１    かつら固定用シート
２    内周縁
３    外周縁
４ａ  スリット
４ｂ  スリット
５    かつら貼着面
６ａ  両面接着テープ
６ｂ  両面接着テープ
７ａ  自毛
７ｂ  自毛
８    接着剤
【図１】
0003909503.tif 000002
【図２】
0003909503.tif 000003
【図３】
0003909503.tif 000004